(57)【要約】      （修正有）【課題】頂部開口の口径の大小のすべてに対応して緊密に挿着し閉栓することができるシリコン等柔軟性のあるマスコット付きボトルヘッドを提供する。【解決手段】平面視円形の上面１上にマスコット４を載着し、上面１下の側周を上広，下狭の傾斜面２にして且つその傾斜面角度を拡げ、または突条環さらには張り出し幅の大きい先細の圧接用環を周設する。【選択図】図４
0003205175.tif 000002
【実用新案登録請求の範囲】
【請求項１】
上面上にマスコットを載着し、上面下の側周を上広，下狭のゆるやかな傾斜面にて形成したことを特徴とするマスコット付きボトルヘッド。
【請求項２】
側周の傾斜面角度を拡げて上太にして、頂部開口の大小径に対する閉栓の対応範囲を拡大する請求項１に記載のマスコット付きボトルヘッド。
【請求項３】
側周に１乃至数条の突条環を横方向に周設する請求項１に記載のマスコット付きボトルヘッド。
【請求項４】
ボトルヘッドの側周の横方向に張り出し幅の大きい先細の圧接用環を１乃至数条にて周設して、各圧接用環の屈曲圧接により閉栓する請求項１に記載のマスコット付きボトルヘッド。
【考案の詳細な説明】
【技術分野】
【０００１】
この考案はマスコット付きボトルヘッド、詳しくはペットボトル,酒壜などの頂部開口の大小のすべてを閉栓して、酒などの内容液を長期に亘り変質させないマスコット付きボトルヘッドに関するものある。
【背景技術】
【０００２】
ボトルヘッドに関しては、実用新案登録第３１２７３７８号公報に上部の握りを四周に拡げて大きくして持ちやすくしてペットボトルの開栓，閉栓を容易にして且つ衛生的にしたという記載がある。
【特許文献１】実用新案登録第３１２７３７８号公報
【考案の開示】
【考案が解決しようとする課題】
【０００３】
しかしながら、上記公報のボトルヘッドはペットボトルの頂部開口の径が少し大きいと閉栓時に弛るみが生じて気抜けにより内容液を早期に変質させ、また口径が少し小さいと挿込みに困難して閉栓することができないという課題がある。
【課題を解決するための手段】
【０００４】
本考案はボトルヘッドの上面下の側周を上広下狭のフラットでゆるやかな傾斜面にて形成してペットボトルおよび壜の頂部開口の径が大きくても、また小さくても緊密に挿着し閉栓して気抜けによる変質を長期に亘り生じないようにして課題を解決する。
また、ボトルヘッドの上面上にマスコットを載着してボトルヘッドに美化と識別力を満たせるようにする。
【考案の効果】
【０００５】
本考案のボトルヘッドはマスコット付きとしたことで、閉栓したペットボトルおよび壜を家庭でまた飲食店などで美化して且つ自他の識別力を持って陳列等してキープすることができるという効果を生ずる。
【０００６】
上面下の側周を上広，下狭のゆるやかな傾斜面としたので、頂部開口の大小に対応して緊密に閉栓することができて、気抜けによる内容液の変質を長期に亘り防止することができるという効果を生ずる。
【０００７】
また、側周の傾斜面角度を大きくしたり、１乃至数条の突条環を設け、または張り出し幅の大きい圧接用環を周設することで、口径の大小に対応する閉栓範囲を拡大することができるという効果を生ずる。
【図面の簡単な説明】
【０００８】
【図１】ボトルヘッドの１例を示す斜視図
【図２】同、閉栓可能なボトルおよび壜の数例を示す斜視図
【図３】同、頂部開口の口径が大小するボトル，壜を閉栓した状態を示す部分斜視図
【図４】異なるマスコット付きのボトルヘッドで閉栓したボトルの陳列例を示す正面図
【図５】側周の傾斜面角度を上太に形成した第２実施例を示す斜視図
【図６】側周に２条突条環を周設した第３実施例を示す斜視図
【図７】側周に張り出し幅の大きい先細の圧接用環を周設した例とその屈曲閉栓状態を示す図
【符号の説明】
【０００９】
１は円形の上面
２は側周の傾斜面
３はボトルヘッド
４はマスコット
５はボトルおよび壜
５ａは頂部開口
６は１乃至数条の突条環
６ａは張り出し幅の大きい圧接用環
【考案を実施するための最良の形態】
【００１０】
本考案は、平らな円形上面の上にひとつひとつ異なるマスコットを載着して多数のマスコット付きボトルヘッドを形成する。これらのボトルヘッドの上面下の側周を上広下狭のフラットでゆるやかな傾斜面とし、さらに傾斜面の傾斜角度を大きくし、または１乃至数条の突条環、さらには張出幅の大きい圧接用環を周設してボトルおよび壜の大小径した頂部開口の挿着閉栓に広範に対応するマスコット付きボトルヘッドとする。
【実施例１】
【００１１】
図１乃至図４は本考案の第１実施例であって、シリコン等柔軟性のある素材にて偏平な円形上面１とその下の側周を上広，下狭の弛るいフラットな傾斜面２とするボトルヘッド３を形成する。このボトルヘッド３は上面１上に人形のほか，ふくろうなどの鳥，動物を模すなどさまざまで個別に形成するマスコット４のひとつを載着してマスコット付きとする。
【００１２】
このマスコット付きボトルヘッド３は飲茶など各種の飲料を充填したベッドボトル，酒，ビール，ウイスキー，焼酎，調味料などを充填した一升壜を含む大小の壜５の頂部開口５ａのそれぞれに挿着し閉栓する。
【００１３】
頂部開口５ａの口径が種類によって大小しても、本考案のボトルヘッド３は側周を上広、つまり上太の傾斜面にて形成しているので、大小径のすべてに対応して挿着し閉栓して酒などを気抜けによる変質を全く生じないものとする。
【００１４】
このようにして多くのマスコット付きボトルヘッド３から好みのマスコット付きボトルヘッド３を選んで閉栓した酒壜，ペットボトル５などは飲食店，家庭などにおいてキープする際に美観を添え、また識別力を持つこととなる。
【００１５】
なお、内容液を飲用等するときはマスコット付きボトルヘッド３を抜き外すのである。ボトルヘッド３はシリコン素材の柔軟性により強い緊密性がありながら軽い力で開栓することができる。
【実施例２】
【００１６】
図５は本考案の第２実施例であって、ボトルヘッド３の上面１下の側周の傾斜面角度を下面から見て拡げて、漸次上太にして頂部開口５ａの大小径に対する閉栓の対応範囲を広げるようにしたものである。ボトルおよび壜５の頂部開口５ａの径は種類によって大小することがあり、そのすべてに緊密に閉栓するボトルヘッド３にしたのである。その他の構成と作用は第１実施例と同じである。
【実施例３】
【００１７】
図６は本考案の第３実施例であって、側周の傾斜面２の傾斜を強めるかわりに側周に１乃至数条（図面は２条の例）の半円形をした突条環６を横方向に突出し周設したもので、閉栓時に突条環６の半潰れなどを含んで頂部開口５ａの内面に圧接して閉栓することになる。また突条環６にかえて図７に示すように張り出し幅の大きい先細の圧接用環６ａを１乃至数条にて突出し形成して、ボトルヘッド３をボトルおよび壜５の頂部開口５ａに挿着する際に各圧接用環６ａの屈曲圧接により緊密に閉栓するようにする。圧接用環６ａの屈曲圧接によりボトルヘッド３の主体は頂部開口５ａから離れていて、開栓がしやすくなる。その他の構成と作用は第１実施例と同じである。
【産業上の利用可能性】
【００１８】
本考案はペットボトルおよび壜の頂部開口の口径が大小しても対応力を持って緊密に閉栓して気抜けによる内容液の変質を生じさせないことと、マスコット付きにして美化して識別力を持たせることで、広く利用されるものである。
【図１】
0003205175.tif 000003
【図２】
0003205175.tif 000004
【図３】
0003205175.tif 000005
【図４】
0003205175.tif 000006
【図５】
0003205175.tif 000007
【図６】
0003205175.tif 000008
【図７】
0003205175.tif 000009